(57)【要約】【課題】従来の瓶針と同様の輸液等の円滑な導通性を確保しつつ、チューブに孔空きや裂傷が生じにくい瓶針を提供すること。【解決手段】  一体成形される瓶針１００であって、チューブ接続部を形成する円筒先端に軸に平行に切れ込み１３１をいれ、チューブ２００側へ向けて幅狭となる舌片１３２を形成したことを特徴とする瓶針１００。切れ込み１３１の長さは円筒長さの１／５〜２／３が好ましい。【選択図】図２
2013244264.tif 000002
【特許請求の範囲】
【請求項１】
一体成形される瓶針であって、
チューブ接続部を形成する円筒先端に軸に平行に切れ込みをいれ、チューブ側へ向けて幅狭となる舌片を形成したことを特徴とする瓶針。
【請求項２】
舌片先端を面取りしたことを特徴とする請求項１に記載の瓶針。
【請求項３】
切れ込みを、軸に平行かつ回転対称にいれたことを特徴とする請求項１または２に記載の瓶針。
【請求項４】
切れ込み長さを、チューブ接続部を形成する円筒長さの１／５〜２／３としたことを特徴とする請求項１、２または３に記載の瓶針。
【請求項５】
舌片を３以上形成して回転対称としたことを特徴とする請求項１〜４のいずれか一つに記載の瓶針。
【発明の詳細な説明】
【技術分野】
【０００１】
本発明は、一体成形される医療用瓶針のチューブ接続側の形状に関し、特に、チューブの接続部の孔あきや裂傷を防止する形状に関する。
【背景技術】
【０００２】
医療現場においては、輸液等をおこなう場合に、液が封入された瓶やバッグに瓶針を刺して後端のチューブへと液を導通させる。その形状は、管基調であって、先端側は剛性を担保しつつ穿刺性をよくするために緩やかにカーブした円錐形状であり、基端側は柔軟なＰＶＣチューブなどに接続される円筒となっている。
【０００３】
また瓶針は、ポリカーボネートなどのプラスチックにより一体成形されたものがほとんどである。これは、差し込みやすさ、差し込み後の保持安定性という穿刺先の素材とチューブとの接合性の観点から、また、使い捨てであり注射針に比して容積が大きく単価等の観点から素材選定がなされた結果である。
【０００４】
従来は、金属針と異なる穿刺針を用いることにより、廃棄も含めた取扱性の高い処置が可能であった。
【０００５】
しかしながら、従来の技術では以下の問題点があった。
瓶針は、比較的硬いプラスチックを用いるため、柔軟なチューブが接続部付近で折れ曲がった状態で力がかかると孔あきや裂傷が生じる可能性があるという問題点があった。特に、瓶へ穿刺する際には、手で握って差し込むので、瓶針後端（チューブ接続部）に圧力がかかりやすい。
【０００６】
ここで、接続部分に厚みを持たせ、基端側（チューブ側）に向けて曲率を持たせる構造を採用することもできるが、後述するように必ずしも良好な結果とならず、依然として孔あき等の可能性が残存するという問題点があった。また円筒内径を小さくして肉厚を確保することもできるが、輸液等の円滑な導通を確保しにくく、また金型からの離型性の観点からも採用しづらいという問題点があった。
【先行技術文献】
【特許文献】
【０００７】
【特許文献１】特開２００７−２３６４３８号公報
【発明の概要】
【発明が解決しようとする課題】
【０００８】
本発明は上記に鑑みてなされたものであって、従来の瓶針と同様の輸液等の円滑な導通性を確保しつつ、チューブに孔空きや裂傷が生じにくい瓶針を提供することを目的とする。
【課題を解決するための手段】
【０００９】
請求項１に記載の瓶針は、一体成形される瓶針であって、チューブ接続部を形成する円筒先端に軸に平行に切れ込みをいれ、チューブ側へ向けて幅狭となる舌片を形成したことを特徴とする。
【００１０】
すなわち、請求項１にかかる発明は、従来の瓶針と同等の内径を維持しながら、舌片のしなりにより圧力を分散させ、チューブを保護することができる。
【００１１】
チューブ側へ向けて幅狭となる舌片とは先細りの形状であることを意味し、例えば、切れ込みをＶ字状とすることにより実現できる。ただしこの切れ込みは必ずしもＶ字といった直線には限定されない。幅狭とすることにより、舌片同士の干渉を防ぎ、円滑なしなりを実現できる。なお、この意味において、軸に平行とは、厳密に平行な辺をいうことに限定されず、切れ込みが軸に沿って延伸していれられていることも含まれるものとする。
【００１２】
請求項２に記載の瓶針は、請求項１に記載の瓶針において、舌片先端を面取りしたことを特徴とする。
【００１３】
すなわち、請求項２に係る発明は、チューブと舌片と接触境界が変動し効率的な圧力分散が可能となり、また、舌片先端が肉薄となることにより、先端がより曲がりやすくなりこの点からも圧力分散が実現される。
【００１４】
請求項３に記載の瓶針は、請求項１または２に記載の瓶針において、切れ込みを、軸に平行かつ回転対称にいれたことを特徴とする。
【００１５】
すなわち、請求項３に係る発明は、チューブの折れ曲がりの方向性に依存しない瓶針を提供することが可能となる。
【００１６】
なお、軸に回転対称に切れ込みをいれるとは、例えば、３本切れ込みをいれる場合は１２０°おきに、４本切れ込みをいれる場合は９０°おきとすること意味する。
【００１７】
請求項４に記載の瓶針は、請求項１、２または３に記載の瓶針において、切れ込み長さを、チューブ接続部を形成する円筒長さの１／５〜２／３としたことを特徴とする。
【００１８】
すなわち、請求項４に係る発明は、構造的に適切なしなりが担保され圧力分散を実現する。円筒内径とはチューブ接続部の円筒内径をいう。
【００１９】
切れ込みの数および円筒の肉厚にも依存するが、切れ込み長さが円筒長さ１／５未満であると特に切れ込み数が少ない場合にしなりが不十分となり、また、２／３以上であると舌片の根もとが緩やかに曲がり、舌片先端がチューブの折れ曲がりに追従しにくくなって圧力分散の効率性が損なわれる。これらから、切れ込み長さは円筒長さの１／５〜２／３としている。好ましくは１／３〜１／２である。
【００２０】
請求項５に記載の瓶針は、請求項１〜４のいずれか一つに記載の瓶針において、舌片を３以上形成して回転対称としたことを特徴とする。
【００２１】
すなわち、請求項５に係る発明は、チューブの折れ曲がりの方向性に依存せず実質的に複数の舌片で圧力分散を担う瓶針を提供することができる。好ましくは舌片の数は４〜６である。
【発明の効果】
【００２２】
本発明によれば、従来の瓶針と同様の輸液等の円滑な導通性を確保しつつ、チューブに孔空きや裂傷が生じにくい瓶針を提供することができる。
【図面の簡単な説明】
【００２３】
【図１】本発明の瓶針の一実施の形態を示した概要図である。
【図２】本発明の瓶針の接続部の部分斜視図である。
【図３】チューブを本発明の瓶針に差し込んだ際の舌片のしなりの様子を示した説明図である
【図４】評価試験の実験概要を示した模式図である。
【発明を実施するための形態】
【００２４】
以下、本発明の実施の形態を図面を参照しながら詳細に説明する。図１は、本発明の瓶針の一実施の形態を示した概要図である。
【００２５】
瓶針１００は、瓶へ差し込む穿刺部１０１と、鍔を備える胴部１０２と、チューブ２００を接続する略円筒形状の接続部１０３と、を主要な構成とし、これらは比較的硬いプラスチックであるポリカーボネートにより一体成形されている。なお、胴部１０２と接続部１０３との境界は、チューブ２００を接続できる外径を有する筒状部分までを接続部１０３とし、段差等により拡径してさらに鍔が設けられている場合は、この段差から胴部１０２であるものとする。
【００２６】
瓶針１００の素材は特に限定されず、この他、ＡＢＳ樹脂、ポリプロピレン、ポリプロピレン、ポリアセタール、アクリル樹脂などにより一体成形してもよい。また、チューブ２００は、比較的柔軟な素材により形成され、ここでは、ポリブタジエン製であるとして説明するが、この他、ＰＶＣなどを用いて形成してもよい。
【００２７】
図２は、瓶針１００の接続部１０３の部分斜視図である。図示したように、接続部１０３はやや先細りの円筒形状であって、いわゆるチューブ２００の「よびこみ」を形成し、４本の長細いＶ字状の切れ込み１３１により、軸対称（９０°回転対称）に４つの舌片１３２が形成されている。切れ込み１３１の切れ込み深さは、図示した長さのほか、接続部１０３の軸方向の長さの１／５〜２／３であればよく、好ましくは１／３〜１／２である。また、舌片１３２の縁の３辺はいずれも面取りがしてあり、特に先端部１３３は緩やかなカーブを描きつつさらに面取りがしてある。
【００２８】
図３は、チューブ２００を瓶針１００に差し込んだ際の舌片１３２のしなりの様子を示した断面図である。図示したように、チューブ２００が瓶針に対して約９０°曲げて引っ張られた状態でも、切れ込み１３１により舌片１３２がしなり（先端部１３３はさらにしなりやすくなり）チューブ２００と舌片１３２との接触境界が移動していき、圧力分散が実現されている様子が示されている。
【００２９】
また、切れ込み１３１がＶ字状であるので、単なる切れ込みでは隣の舌片１３２と干渉が発生するところ、これを生じさせず圧力分散の効率化が図られることとなる。
【００３０】
次に、シャルピー衝撃試験機を用いた衝撃試験をおこなった。試料は、呼び込みを設けている従来品、呼び込みを設けず端面にＲを設けた比較品、従来品に４つの舌片を設けた発明品とした。試料の素材は同一として、接続部の長さ、および基端側肉厚は総て同一とした。
【００３１】
試験は、最大７．５Ｊを発生させる試験機として、接続部にチューブを差し込み、これを１８０°折り返した状態、すなわち、穿刺部側にチューブを折り曲げた状態で、この接続部を試験機ハンマーの回動直下に位置させ、鉛直方向からの振り角度θを異ならせて（ハンマーの回転角θを異ならせて）接続部を突くことにより評価した。実験概要を図４に示した（なお、図では、各試験の舌片断面（片側）も模式的に表示している）。
【００３２】
試験結果を表１に表す。
【表１】
2013244264.tif 000003
【００３３】
上記試験から、面取りして曲率をつけた比較品は従来品よりよいことが確認できるが、本発明品は、圧力分散を実現している結果、一層の製品信頼性が高まっていることが確認できる。
【００３４】
以上説明したように、本発明によれば、一体成形により簡便に製造が可能であって、従来の瓶針と同様の輸液等の円滑な導通性を確保しつつチューブに孔空きや裂傷が生じにくい瓶針を提供することができる。
【００３５】
なお、本発明は、上記の態様に限定されない。切れ込みを６本いれ、６０°回転対称としても良い。また、構造的なしなりを確保すべく、舌片外側表面に軸に垂直に溝を多数形成するようにしても良い。
【産業上の利用可能性】
【００３６】
本発明は、医療現場に限定されず、チューブを接続するあらゆる瓶針に適用可能である。
【符号の説明】
【００３７】
１００  瓶針
１０１  穿刺部
１０２  胴部
１０３  接続部
１３１  切れ込み
１３２  舌片
１３３  先端部
２００  チューブ
【図１】
2013244264.tif 000004
【図２】
2013244264.tif 000005
【図３】
2013244264.tif 000006
【図４】
2013244264.tif 000007